(57)【要約】【課題】延焼防止処理が施された防火区画の開口部や処理跡を極めて簡単に隠蔽し、体裁の良好な工事が可能になり、しかも、施工後の追加通線工事も極めて容易に行える開口用軽量化粧板及び化粧板取付具を提供する。【解決手段】ケーブルラックＰに装着自在な軽量材質にて左右一対に分割形成されると共に、化粧板中央の分割面を略クリップ状の中央接合体３０にて連結する。ケーブルラックＰの親桁Ｐ１両側面に外嵌する一対の嵌合体１０と、各嵌合体１０に着脱自在に固定される一対の固定体２０とからなる取付具を設ける。該取付具で、ケーブル挿通口Ｑに詰め込んだ耐火ブロックＲを隠蔽するように軽量化粧板を固定する。【選択図】図１
2005287207.tif 000002
【特許請求の範囲】
【請求項１】
防火区画の壁又は床を貫通したケーブル挿通口を被覆する化粧板において、該化粧板はケーブルラックに装着自在な軽量材質にて左右一対に分割形成されると共に、化粧板中央の分割面を略クリップ状の中央接合体にて連結し、ケーブル挿通口に詰め込んだ耐火ブロックを隠蔽するようにケーブルラックの各親桁に固定されることを特徴とする開口用軽量化粧板。
【請求項２】
壁又は床を貫通したケーブル挿通口を被覆する左右一対の軽量化粧板に連結し、該ケーブル挿通口を貫通するケーブルラックに軽量化粧板を固定する取付具であって、該取付具はケーブルラックの親桁両側面に外嵌する一対の嵌合体と、各嵌合体に着脱自在に固定される一対の固定体とからなり、該固定体は、前記軽量化粧板の各板面に固定する固定片と、前記嵌合体に着脱自在に固定される挟着片とを有することを特徴とする化粧板取付具。
【請求項３】
前記軽量化粧板に、左右一対の軽量化粧板を中央部分で挟着接合する略クリップ状の中央接合体を設けた請求項２記載の化粧板取付具。
【請求項４】
前記嵌合体は、親桁の異なる２種類の高さに適合するサイズ別に形成され、一方、前記固定体は、固定片と挟着片とが長さの異なる略短冊状に形成され、これら固定片と挟着片との取付け位置を交換することで、サイズの異なる２種類の嵌合体に適合するように設けられた請求項２又は３記載の化粧板取付具。
【請求項５】
前記嵌合体の側面に前記固定片の上下端部を挿入する上下一対の挿入口を開穿し、サイズ別に形成された嵌合体の挿入口に、前記長さの異なる固定片又は挟着片を選択して挿入する請求項２乃至４いずれか記載の化粧板取付具。
【発明の詳細な説明】
【技術分野】
【０００１】
本発明は、壁や床を貫通するケーブルラックの貫通口に装着する耐火材を被覆し、延焼防止処理跡の見栄えを良好にする開口用軽量化粧板及び化粧板取付具に関する。
【背景技術】
【０００２】
防火区画の壁や床等にケーブルラックを貫通し、ケーブル配線を行う場合、延焼を防止するために、防火区画に延焼防止処理を行うことが義務付けられている。
【０００３】
この延焼防止処理として、引用文献１乃至４に記載されている施工方法や防火構造等が提案されている。
【０００４】
特許文献１は、ケーブル貫通部の施工方法に関するもので、壁や床等に開穿された開口部に繊維状の耐火充填材を充填し、開口部の両面に耐火仕切板を配設したものである。
【０００５】
特許文献２に、ケーブル貫通部の防火構造が記載されている。この防火構造は、防火処理を壁の片側からの作業のみで行えるようにしたもので、ケーブル及びケーブルラックの外周囲を、壁貫通孔の片側開口部からケーブルの長手方向を覆う防火パテ塗着部と、この防火パテ塗着部をケーブルの長手方向に直交する方向の両側から挟んで遮蔽する一対の耐火性遮蔽板と、この一対の遮蔽板を互いに独立してケーブルラックに対し着脱可能に位置固定する少なくとも一対の固定手段とを備えている。
【０００６】
特許文献３は、ケーブル貫通部用防火ブロックとそれを用いた防火構造体に関するものである。この防火ブロックは、二つに分割されたブロック状に構成されている。そして、防火壁のケーブル貫通口に、挿通したケーブルをこの防火ブロックで把持し、貫通口を塞ぐように構成されている。
【特許文献１】特公平４−７４９２６号公報
【特許文献２】特許第２９１６６６８号公報
【特許文献３】特開２００２−１０４４９号公報
【発明の開示】
【発明が解決しようとする課題】
【０００７】
特許文献１及び２に記載された延焼防止処理は、いずれも防火区画を貫通する貫通口に耐火充填材や耐火ボードを装着する構造になっている。この耐火ボードは一般にケイカライトや鉄板が用いられているので、耐火ボードを貫通口に装着するには、アンカーボルトや全ネジボルト等を使用して固定する必要があった。その為、耐火ボードを装着する構造の延焼防止処理は、取付け作業に多くの作業時間を要するものであった。しかも、施工後に追加通線を行う場合は、このアンカーボルトや全ネジボルト等で固定した耐火ボードを再び着脱する作業となり、施工後の追加通線に更に多くの手間と時間を要するものになっていた。
【０００８】
一方、特許文献３に記載された防火ブロックは、開口部に防火ブロックを詰め込むことで延焼防止処理が行えるため、耐火ボードを装着する延焼防止処理に比べて作業性が良好になる利点がある。ところが、開口部に詰め込まれた防火ブロックが表出するため、耐火ボード仕様に比べて見栄えが悪くなる不都合があった。
【０００９】
更に、前記特許文献２に記載されたケーブル貫通部の防火構造では、壁の片側に耐火ボードを装着するので、耐火ボードが装着されない反対がわでは、開口部が露出した状態になり見栄えが悪くなる。
【００１０】
そこで、本発明は上述の課題を解消すべく創出されたもので、延焼防止処理が施された防火区画の開口部や処理跡を極めて簡単に隠蔽し、体裁の良好な工事が可能になり、しかも、施工後の追加通線工事も極めて容易に行える開口用軽量化粧板及び化粧板取付具の提供を目的とするものである。
【課題を解決するための手段】
【００１１】
本発明の第１の手段における軽量化粧板は、防火区画の壁又は床を貫通したケーブル挿通口Ｑを被覆する化粧板において、該化粧板はケーブルラックＰに装着自在な軽量材質にて左右一対に分割形成されると共に、化粧板中央の分割面を略クリップ状の中央接合体３０にて連結し、ケーブル挿通口Ｑに詰め込んだ耐火ブロックＲを隠蔽するようにケーブルラックＰの各親桁Ｐ１に固定されることにある。
【００１２】
第２の手段における取付具は、壁又は床を貫通したケーブル挿通口Ｑを被覆する左右一対の軽量化粧板Ｓに連結し、該ケーブル挿通口Ｑを貫通するケーブルラックＰに軽量化粧板Ｓを固定する取付具であって、該取付具はケーブルラックＰの親桁Ｐ１両側面に外嵌する一対の嵌合体１０と、各嵌合体１０に着脱自在に固定される一対の固定体２０とからなり、該固定体２０は、前記軽量化粧板Ｓの各板面に固定する固定片２１と、前記嵌合体１０に着脱自在に固定される挟着片２２とを有するものである。
【００１３】
第３の手段は、前記軽量化粧板Ｓに、左右一対の軽量化粧板Ｓを中央部分で挟着接合する略クリップ状の中央接合体３０を設けている。
【００１４】
第４の手段は、前記嵌合体１０は親桁Ｐ１の異なる２種類の高さに適合するサイズ別に形成され、一方、前記固定体２０は、固定片２１と挟着片２２とが長さの異なる略短冊状に形成され、これら固定片２１と挟着片２２との取付け位置を交換することで、サイズの異なる２種類の嵌合体１０に適合するように設けている。
【００１５】
第５の手段は、前記嵌合体１０の側面に前記固定片２１の上下端部を挿入する上下一対の挿入口１１を開穿し、サイズ別に形成された嵌合体１０の挿入口１１に、前記長さの異なる固定片２１又は挟着片２２を選択して挿入することを課題解消のための手段とする。
【発明の効果】
【００１６】
本発明の開口用軽量化粧板によると、ケーブルラックＰに装着自在な軽量材質にて左右一対に分割形成されると共に、化粧板中央の分割面を略クリップ状の中央接合体３０にて連結し、ケーブル挿通口Ｑに詰め込んだ耐火ブロックＲを隠蔽するようにケーブルラックＰの各親桁Ｐ１に固定されるので、従来のアンカーボルトや全ネジボルト等で固定されるケイカライトや鉄板等に比べて、取付け作業が極めて容易である。
【００１７】
本発明の取付具によると、ケーブルラックＰの親桁Ｐ１両側面に外嵌する一対の嵌合体１０と、各嵌合体１０に着脱自在に固定される一対の固定体２０とからなり、該固定体２０は、前記軽量化粧板Ｓの各板面に固定する固定片２１と、前記嵌合体１０に着脱自在に固定される挟着片２２とを有するので、アンカーボルトや全ネジボルト等を使用せずに、ケーブルラックＰにワンタッチで取付けることができる。
【００１８】
また、前記軽量化粧板Ｓに、左右一対の軽量化粧板Ｓを中央部分で挟着接合する略クリップ状の中央接合体３０を設けることにより、軽量化粧板Ｓをより強固に固定できる。
【００１９】
更に、本発明の請求項４により、固定体２０の固定片２１と挟着片２２との取付け位置を交換することで、サイズの異なる２種類の嵌合体１０に用いることができる。
【００２０】
そして、請求項５により、固定体２０の固定片２１を嵌合体１０に連結する際に、サイズの異なる２種類の嵌合体１０に対して、簡単な操作で確実に連結することができるものである。
【００２１】
このように本発明によると、延焼防止処理が施された防火区画の開口部や処理跡を極めて簡単に隠蔽し、体裁の良好な工事が可能になり、しかも、施工後の追加通線工事も極めて容易に行えるなどといった今までにはない優れた効果を奏するものである。
【発明を実施するための最良の形態】
【００２２】
本発明を実施するための最良の形態は、中央接合体３０で固定する左右一対の軽量化粧板Ｓを使用する。取付具はケーブルラックＰの親桁Ｐ１両側面に外嵌する一対の嵌合体１０と、各嵌合体１０に着脱自在に固定される一対の固定体２０とからなり、該固定体２０は、前記軽量化粧板Ｓの各板面に固定する固定片２１と、前記嵌合体１０に着脱自在に固定される挟着片２２とを有する。嵌合体１０は親桁Ｐ１の異なる２種類の高さに適合するサイズ別に形成されている。一方、前記固定体２０は、固定片２１と挟着片２２とが長さの異なる略短冊状に形成され、これら固定片２１と挟着片２２との取付け位置を交換することで、サイズの異なる２種類の嵌合体１０に適合するように設ける。嵌合体１０の側面に前記固定片２１の上下端部を挿入する上下一対の挿入口１１を開穿する。サイズ別に形成された嵌合体１０の挿入口１１に、前記長さの異なる固定片２１又は挟着片２２を選択して挿入することで、当初の目的を達成するものである。
【実施例】
【００２３】
本発明軽量化粧板Ｓは、防火区画の壁又は床を貫通したケーブル挿通口Ｑを被覆するもので、このケーブル挿通口Ｑには、耐火ブロックＲが詰め込まれている（図１参照）。建築基準法によると、防火区画貫通部の開口部に必要な遮炎性能が１時間と規定されている。そこで、この開口部に耐火ブロックＲを詰め込むことで必要な遮炎性能が得られる。したがって本発明の軽量化粧板Ｓには、従来のケイカライト等のような高い遮炎能力は必要なく、むしろ軽量で見栄えが良好な材質を適宜選択使用するものである。また、図示の耐火ブロックＲは、不織布製の袋の中に柔軟な耐火充填材を収納したもので、ケーブル挿通口Ｑに詰め込み易く形成した耐火ブロックＲを使用している。このように柔軟な耐火ブロックＲを使用することで、極めて合理的な延焼防止処理を行える一方で、処理跡の見栄えが悪くなるので、本発明軽量化粧板Ｓによる隠蔽対策が有効である。
【００２４】
本発明軽量化粧板Ｓは、ケーブルラックＰに装着自在な軽量材にて左右一対に分割形成されており、化粧板中央の分割面を略クリップ状の中央接合体３０にて連結して使用するものである（図１参照）。この軽量化粧板Ｓを、本発明取付具にてケーブルラックＰの各親桁Ｐ１に装着し、ケーブル挿通口Ｑ内部の耐火ブロックＲを隠蔽するように設置する。
【００２５】
本発明取付具は、壁又は床を貫通したケーブル挿通口Ｑを被覆する軽量化粧板Ｓと、ケーブル挿通口Ｑを貫通するケーブルラックＰとを連結する取付具である（図３、図５参照）。この取付具は嵌合体１０と固定体２０と中央接合体３０とで構成する（図２、図４参照）。
【００２６】
嵌合体１０は、側面略Ｃ字形状を成し、ケーブルラックＰの親桁Ｐ１両側面に外嵌する左右一対の部材である。この嵌合体１０は、親桁Ｐ１の異なる２種類の高さに適合するサイズ別に形成されている（図２、図４参照）。そして、各嵌合体１０の側面に上下一対の挿入口１１を開穿している。
【００２７】
固定体２０は、各嵌合体１０に着脱自在に固定される一対の部材で、更に、固定片２１と挟着片２２とを有している（図２、図４参照）。固定片２１は、軽量化粧板Ｓの各板面にビス２３等で固定するものである。一方、挟着片２２は、嵌合体１０に着脱自在に固定される（図３、図５参照）。
【００２８】
これら固定片２１と挟着片２２とは、長さの異なる略短冊状に形成されている。そして、固定片２１と挟着片２２との取付け位置を交換することで、高さの異なる２種類の親桁Ｐ１に適合するように設けている。図示例では、固定片２１と挟着片２２とを長さの異なる相似形状に形成し、夫々にビス２４を挿通する挿通孔２１Ａを開穿している。更に、これら固定片２１と挟着片２２とを帯状の連結片２３で屈曲自在に連結している（図２、図４参照）。
【００２９】
サイズが異なる二つの嵌合体１０からケーブルラックＰに適合する嵌合体１０を選択し、この嵌合体１０の側面に予め設けられた挿入口１１に、長さが異なる略短冊状の固定片２１又は挟着片２２を選択して上下端部を挿入する。このとき挿入口１１に挿入した部材が挟着片２２として機能し、嵌合体１０と親桁Ｐ１との間に挟着固定される。一方、残る部材が軽量化粧板Ｓに固定する固定片２１として機能するものである。
【００３０】
挟着片２２には、更に上下一対の固定突起２２Ａが突設されている（図３、図５参照）。この固定突起２２Ａは、嵌合体１０の側面に設けられた上下一対の挿入口１１から突出して嵌合体１０の側面部を挟着固定するものである。この固定突起２２Ａは、長さの異なった固定片２１側にも突設してあり、嵌合体１０のサイズに適合するようにしている。
【００３１】
中央接合体３０は、左右に分割された軽量化粧板Ｓを中央部分で挟着接合する略クリップ状の部材である（図６参照）。この接合体３０を一対使用して、軽量化粧板Ｓの分割部分を上下で接合する（図１参照）。図示の中央接合体３０は、帯状を成した当接片３１と、該当接片３１の一端部から屈曲された係止部３２と、軽量化粧板Ｓをビス止めするための挿通孔３１Ａとが設けられている。そして、軽量化粧板Ｓの分割部分を左右から突き当てて当接し、該当接部分に中央接合体３０を嵌着して仮止めし、最後にビス２４にて固定する。
【００３２】
本発明軽量化粧板ＳをケーブルラックＰに取付けるには、まず、ケーブルラックＰの左右から組み合せた軽量化粧板Ｓに、中央接合体３０を装着して軽量化粧板Ｓを一体化する。次にケーブルラックＰの親桁Ｐ１の高さに合わせて嵌合体１０を選択し、この嵌合体１０に適合する挟着片２２を選択し、嵌合体１０に挟着片２２を装着する。一方、固定体２０の選択されなかった部材を固定片２１として軽量化粧板Ｓの板面にビス２４で固定する。この状態で軽量化粧板Ｓを所定の位置まで移動し、親桁Ｐ１の外側面に嵌合体１０を嵌合して軽量化粧板Ｓを固定することで、ケーブル挿通口Ｑの開口部を被覆し、耐火ブロックＲを隠蔽するものである（図３、図５参照）。
【００３３】
尚、本発明取付具は、防火区画貫通部のみならず、その他の壁・床すべてのケーブルラックＰ貫通箇所においても使用することが可能である。また、本発明の実施例は図示例に限定されるものではなく、各構成部位における形状、寸法等の設計変更、材質の転換及び形態の変更など、本発明の技術的思想を逸脱しない範囲で自由に変更することができるものである。
【図面の簡単な説明】
【００３４】
【図１】本発明の装着状態を示す分解斜視図である。
【図２】本発明固定体の装着例を示す分解斜視図である。
【図３】本発明固定体の装着例を示す側面図である。
【図４】本発明固定体の他の装着例を示す分解斜視図である。
【図５】本発明固定体の装着例を示す側面図である。
【図６】本発明の中央接合体を示す斜視図である。
【符号の説明】
【００３５】
Ｐ  ケーブルラック  Ｐ１  親桁
Ｑ  ケーブル挿通口
Ｒ  耐火ブロック
１０  嵌合体        １１  挿入口
２０  固定体        ２１  固定片
２１Ａ  挿通孔
２２  挟着片
２２Ａ  固定突起
２３  連結片
２４  ビス
３０  中央接合体    ３１  当接片
３１Ａ  挿通孔
３２  係止部
【図１】
2005287207.tif 000003
【図２】
2005287207.tif 000004
【図３】
2005287207.tif 000005
【図４】
2005287207.tif 000006
【図５】
2005287207.tif 000007
【図６】
2005287207.tif 000008